(57)【要約】      （修正有）【課題】作業効率を飛躍的に向上させたきのこ栽培瓶用キャップを自動的且つ好適に分解できるきのこ栽培瓶用キャップの分解装置を提供する。【解決手段】雑菌侵入防止用のフィルタを挟むキャップ覆い部材とキャップ基部材とが嵌ることで、分解可能に一体化されるきのこ栽培瓶用キャップ１０を、自動的に分解するきのこ栽培瓶用キャップの分解装置であって、固定ガイド部２１と、固定ガイド部２１の案内面２１ａを延長した位置に周側面が露出するように配設された駆動回転ローラ２２と、駆動回転ローラ２２との間できのこ栽培瓶用キャップ１０を挟圧することで、弾性変形を利用してキャップ覆い部材とキャップ基部材とを分解するように圧力を与える挟圧ガイド片３０と、その挟圧ガイド片３０をきのこ栽培瓶用キャップ１０へ押圧するように配された弾性部材５０とを具備する。【選択図】図１
0003152393.tif 000002
【実用新案登録請求の範囲】
【請求項１】
きのこ栽培瓶の瓶口に着脱されるように円形に設けられ、雑菌侵入防止用のフィルタを挟むキャップ覆い部材とキャップ基部材とが、弾性変形を利用して一方の外周縁の周凸条部が他方の内周縁の周凹条部に嵌ることで、分解可能に一体化されるきのこ栽培瓶用キャップを、自動的に分解するきのこ栽培瓶用キャップの分解装置であって、
前記きのこ栽培瓶用キャップを、該きのこ栽培瓶用キャップの側周の一方に接して送り方向へ案内するように基部に設けられた固定ガイド部と、
該固定ガイド部の案内面を延長した位置に周側面が露出するように配設され、前記きのこ栽培瓶用キャップの側周に圧接すると共に、該きのこ栽培瓶用キャップを送り方向へ送るように駆動手段によって回転させられる駆動回転ローラと、
前記固定ガイド部と前記駆動回転ローラとに対向して、きのこ栽培瓶用キャップを該きのこ栽培瓶用キャップの側周の他方に接して送り方向へ案内するように設けられ、前記固定ガイド部との間隔が、送り方向へ向かって前端側より後端側が狭くなるように斜めに配されると共に、前端側を中心に回動して後端側の前記固定ガイド部及び前記駆動回転ローラとの間隔が前記きのこ栽培瓶用キャップの直径に前後する所要の範囲で変位可能に設けられ、前記駆動回転ローラとの間で前記きのこ栽培瓶用キャップを挟圧することで、弾性変形を利用して前記キャップ覆い部材と前記キャップ基部材とを分解するように圧力を与える挟圧ガイド片と、
該挟圧ガイド片を前記きのこ栽培瓶用キャップへ押圧するように、前記挟圧ガイド片の後端側と基部との間に配された弾性部材とを具備することを特徴とするきのこ栽培瓶用キャップの分解装置。
【請求項２】
前記弾性部材がつる巻きバネであることを特徴とする請求項１記載のきのこ栽培瓶用キャップの分解装置。
【請求項３】
前記挟圧ガイド片の前端側が、該前端側と基部とを連結する所要の長さの棒状部材によって固定されていることを特徴とする請求項１又は２記載のきのこ栽培瓶用キャップの分解装置。
【請求項４】
前記駆動回転ローラの周側面が、ローレット加工がなされた面になっていることを特徴とする請求項１、２又は３記載のきのこ栽培瓶用キャップの分解装置。
【考案の詳細な説明】
【技術分野】
【０００１】
本考案は、きのこ栽培瓶用キャップをメンテナンスのために分解する際に用いられるきのこ栽培瓶用キャップの分解装置に関する。このきのこ栽培瓶用キャップは、きのこの栽培瓶による菌床栽培において、菌床を培養する際に栽培瓶の瓶口を覆うように装着されるものである。
【背景技術】
【０００２】
きのこ栽培瓶用キャップの基本形態は、きのこ人工栽培用の瓶の開口部に施蓋自在で、その頂部に通気孔を有し、その通気孔を雑菌侵入防止用のフィルタにより遮蔽してなる構成を備えている（特許文献１参照）。
【０００３】
本考案の対象となるきのこ栽培瓶用キャップは、きのこ栽培瓶の瓶口に着脱されるように円形に設けられ、雑菌侵入防止用のフィルタを挟むプラスチック（樹脂）製のキャップ覆い部材とキャップ基部材とが、その樹脂の弾性変形を利用して一方の外周縁の周凸条部が他方の内周縁の周凹条部に嵌ることで、分解可能に一体化されて構成されているものである（図２参照）。
【０００４】
上記のような形態のきのこ栽培瓶用キャップ１０では、雑菌侵入防止用のフィルタ１３がスポンジ状の材料で形成されているが、長期間の使用によって、そのフィルタ１３に目詰まりが生じる。この目詰まりは、例えば図２に示すキャップ基部材１２の通気孔１４に接している部分に生じるため、フィルタ１３の位置をずらすだけで再利用することができる。
【０００５】
このフィルタ１３の位置を、キャップ基部材１２の通気孔１４に対してずらすには、フィルタ１３がキャップ覆い部材１１とキャップ基部材１２とに挟まれて固定されていることから、きのこ栽培瓶用キャップ１０を分解する必要がある。
しかし、従来からその分解作業は、マイナスのドライバーの先端を、キャップ覆い部材１１とキャップ基部材１２との間に入れ込み、こじって一方から他方を分離するなど、手作業によってなされている。
【先行技術文献】
【特許文献】
【０００６】
【特許文献１】実公昭５８−５３９６０号公報（第１頁）
【考案の概要】
【考案が解決しようとする課題】
【０００７】
きのこ栽培瓶用キャップの分解装置に関して解決しようとする問題点は、手作業によるのではなく、自動的且つ好適に、きのこ栽培瓶用キャップを分解できる装置が提案されていない点にある。
そこで本考案の目的は、きのこ栽培瓶用キャップを自動的且つ好適に分解できるきのこ栽培瓶用キャップの分解装置を提供し、その作業効率を飛躍的に向上させることにある。
【課題を解決するための手段】
【０００８】
本考案は、上記目的を達成するために次の構成を備える。
本考案にかかるきのこ栽培瓶用キャップの分解装置の一形態によれば、きのこ栽培瓶の瓶口に着脱されるように円形に設けられ、雑菌侵入防止用のフィルタを挟むキャップ覆い部材とキャップ基部材とが、弾性変形を利用して一方の外周縁の周凸条部が他方の内周縁の周凹条部に嵌ることで、分解可能に一体化されるきのこ栽培瓶用キャップを、自動的に分解するきのこ栽培瓶用キャップの分解装置であって、前記きのこ栽培瓶用キャップを、該きのこ栽培瓶用キャップの側周の一方に接して送り方向へ案内するように基部に設けられた固定ガイド部と、該固定ガイド部の案内面を延長した位置に周側面が露出するように配設され、前記きのこ栽培瓶用キャップの側周に圧接すると共に、該きのこ栽培瓶用キャップを送り方向へ送るように駆動手段によって回転させられる駆動回転ローラと、前記固定ガイド部と前記駆動回転ローラとに対向して、きのこ栽培瓶用キャップを該きのこ栽培瓶用キャップの側周の他方に接して送り方向へ案内するように設けられ、前記固定ガイド部との間隔が、送り方向へ向かって前端側より後端側が狭くなるように斜めに配されると共に、前端側を中心に回動して後端側の前記固定ガイド部及び前記駆動回転ローラとの間隔が前記きのこ栽培瓶用キャップの直径に前後する所要の範囲で変位可能に設けられ、前記駆動回転ローラとの間で前記きのこ栽培瓶用キャップを挟圧することで、弾性変形を利用して前記キャップ覆い部材と前記キャップ基部材とを分解するように圧力を与える挟圧ガイド片と、該挟圧ガイド片を前記きのこ栽培瓶用キャップへ押圧するように、前記挟圧ガイド片の後端側と基部との間に配された弾性部材とを具備する。
【０００９】
また、本考案にかかるきのこ栽培瓶用キャップの分解装置の一形態によれば、前記弾性部材がつる巻きバネであることを特徴とするができる。
また、本考案にかかるきのこ栽培瓶用キャップの分解装置の一形態によれば、前記挟圧ガイド片の前端側が、該前端側と基部とを連結する所要の長さの棒状部材によって固定されていることを特徴とすることができる。
また、本考案にかかるきのこ栽培瓶用キャップの分解装置の一形態によれば、前記駆動回転ローラの周側面が、ローレット加工がなされた面になっていることを特徴とすることができる。
【考案の効果】
【００１０】
本考案にかかるきのこ栽培瓶用キャップの分解装置によれば、キノコの栽培瓶に対する着脱の作業を、自動化する際を含めて適切且つ効率良く行うことができるという特別有利な効果を奏する。
【図面の簡単な説明】
【００１１】
【図１】本考案に係るきのこ栽培瓶用キャップの分解装置の形態例を示す平面説明図である。
【図２】本考案の対象となるきのこ栽培瓶用キャップの形態例を示す側面図である。
【考案を実施するための形態】
【００１２】
以下、本考案にかかるきのこ栽培瓶用キャップの分解装置について最良の形態例を添付図面（図１及び２）に基づいて詳細に説明する。
このきのこ栽培瓶用キャップの分解装置は、きのこ栽培瓶の瓶口に着脱されるように円形に設けられ、雑菌侵入防止用のフィルタ１３を挟むキャップ覆い部材１１とキャップ基部材１２とが、弾性変形を利用して一方の外周縁の周凸条部１５が他方の内周縁の周凹条部１６に嵌ることで、分解可能に一体化されるきのこ栽培瓶用キャップ１０を、自動的に分解するものである。図２（ａ）は三つの部材が一体化されてきのこ栽培瓶用キャップ１０を形成している状態の断面図であり、図２（ｂ）は、そのきのこ栽培瓶用キャップ１０が分解された状態を示す断面図である。本考案にかかるきのこ栽培瓶用キャップの分解装置を通り抜けると図２（ａ）の状態から図２（ｂ）の分解された状態になる。
【００１３】
２１は固定ガイド部であり、きのこ栽培瓶用キャップ１０を、そのきのこ栽培瓶用キャップ１０の側周の一方に接して送り方向へ案内するように基部２０に設けられている。
本形態例の固定ガイド部２１は、ベース板２０ａの上に真直ぐな角材状に一体的に固定されて形成されており、基部２０の一部になっている。
【００１４】
２２は駆動回転ローラであり、固定ガイド部２１の案内面２１ａを延長した位置に周側面が露出するように配設され、きのこ栽培瓶用キャップ１０の側周に圧接すると共に、そのきのこ栽培瓶用キャップ１０を送り方向へ送るように駆動手段２５によって回転させられる。本形態例の駆動手段２５は、減速装置が一体的に設けられた電動モータになっている。なお、２６は駆動手段のスイッチである。
【００１５】
３０は挟圧ガイド片であり、固定ガイド部２１と駆動回転ローラ２２とに対向して、きのこ栽培瓶用キャップ１０をそのきのこ栽培瓶用キャップの側周の他方に接して送り方向へ案内するように設けられ、固定ガイド部２１との間隔が、送り方向へ向かって前端側３０ａより後端側３０ｂが狭くなるように斜めに配されると共に、前端側３０ａを中心に回動して後端側３０ｂの固定ガイド部２１及び駆動回転ローラ２２との間隔がきのこ栽培瓶用キャップ１０の直径に前後する所要の範囲で変位可能に設けられ、駆動回転ローラ２２との間できのこ栽培瓶用キャップ１０を挟圧することで、その樹脂の弾性変形を利用してキャップ覆い部材１１とキャップ基部材１２とを分解するように圧力を与えることができる。
【００１６】
５０は弾性部材であり、挟圧ガイド片３０をきのこ栽培瓶用キャップ１０へ押圧するように、挟圧ガイド片３０の後端側３０ｂと基部２０との間に配されている。
この弾性部材５０によれば、挟圧ガイド片３０をきのこ栽培瓶用キャップ１０へ適切に押圧することができ、きのこ栽培瓶用キャップ１０を好適に分解できる。
さらに、この弾性部材５０によれば、きのこ栽培瓶用キャップ１０の直径に若干の寸法差のあるものが混在している場合であっても、その寸法差を吸収して適切な押圧力で接することが可能であり、各きのこ栽培瓶用キャップ１０を好適に分解できる。従って、その直径に若干の寸法差がある程度の場合、きのこ栽培瓶用キャップ１０を分別することを要せず、作業効率を向上させることができる。
本形態例の弾性部材５０は、つる巻きバネになっている。このように、つる巻きバネを採用することで、所要の弾性力を調整し易く、適切な押圧力できのこ栽培瓶用キャップ１０を破壊することなく分解するように、その側面へ挟圧ガイド片３０を圧接できる。
なお、この弾性部材５０としては、本形態例に限らず、皿バネを重ねた形態や板バネなどを利用することもできる。
【００１７】
また、本形態例の基部２０では、ベース板２０ａの上に真直ぐな角材状に一体的に固定されて形成された角材状固定部２３が設けられ、この角材状固定部２３に弾性部材５０（つる巻きバネ）の一端を受けるバネ受け部２３ａが設けられている。３０ｃは他端のバネ受け部であり、弾性部材５０（つる巻きバネ）の他端を受ける部分として挟圧ガイド片３０の後端側３０ｂに設けられている。本形態例の弾性部材５０（つる巻きバネ）は、基部２０のバネ受け部２３ａと、他端のバネ受け部３０ｃが設けられた挟圧ガイド片３０の後端側３０ｂとの間に圧縮状態で配されている。
【００１８】
本形態例の挟圧ガイド片３０の前端側３０ａは、その前端側３０ａと基部２０とを連結する所要の長さの棒状部材４０によって固定されている。本形態例の棒状部材４０はボルトであり、一方が挟圧ガイド片３０の前端側３０ａに固定され、他方が角材状固定部２３に固定されている。この棒状部材４０は、所要の長さを有して棒状であるため、撓み変形を許容する形態になっており、挟圧ガイド片３０がその前端側３０ａを中心に後端側３０ｂが実質的に回動できる構造になっている。
なお、挟圧ガイド片３０を回動させる形態はこれに限定されず、前端側３０ａに回動軸を設けて基部２０に対して回動できる構造としてもよい。
【００１９】
また、４１は間隔保持材であり、棒状部材４０と弾性部材５０との間に配設され、挟圧ガイド片３０が所要の回動範囲内で保持されるように、その挟圧ガイド片３０の回動範囲を規制するように設けられている。
本形態例では、挟圧ガイド片３０のきのこ栽培瓶用キャップ１０を案内する案内面３０ｄが、必要以上に固定ガイド部２１や駆動回転ローラ２２に近接しないように、その位置を規制し、遠ざかる方向にはその回動を許容するように設けられている。さらに本形態例には、ボルトによって間隔保持材４１が設けられており、一端側が挟圧ガイド片３０にねじ込まれて固定され、他端側が角材状固定部２３に設けられた貫通孔に挿通され、他端に螺合されたナットがストッパとなっていることで、上記の機能を奏するように構成されている。
【００２０】
本形態例の駆動回転ローラ２２の周側面は、ローレット加工がなされた面になっている。これによれば、滑り止めになり、きのこ栽培瓶用キャップ１０を適切に送ることができる。すなわち、きのこ栽培瓶用キャップ１０は、軽く押し込まれるだけで、駆動回転ローラ２２に好適に巻き込まれて、自動的に送られて分解・排出される。
なお、３１は押え板であり、挟圧ガイド片３０の後端側３０ｂの上面側に固定されており、挟圧分解中にきのこ栽培瓶用キャップ１０が浮き上がることを防止する。
【００２１】
以上、本考案につき好適な形態例を挙げて種々説明してきたが、本考案はこの形態例に限定されるものではなく、考案の精神を逸脱しない範囲内で多くの改変を施し得るのは勿論のことである。
【符号の説明】
【００２２】
１０  きのこ栽培瓶用キャップ
１１  キャップ覆い部材
１２  キャップ基部材
１３  フィルタ
１５  周凸条部
１６  周凹条部
２０  基部
２１  固定ガイド部
２１ａ  案内面
２２  駆動回転ローラ
２５  駆動手段
３０  挟圧ガイド片
３０ａ  前端側
３０ｂ  後端側
４０  棒状部材
５０  弾性部材
【図１】
0003152393.tif 000003
【図２】
0003152393.tif 000004